【事件の表示】
　特願２００７−３２８０７４「番組再生装置及びその動作方法」拒絶査定不服審判事件〔平成２１年　７月　９日出願公開、特開２００９−１５２８１０〕について、次のとおり審決する。
【結　論】
　本件審判の請求は、成り立たない。
【理　由】
１．手続の経緯
　本願は、平成１９年１２月１９日の出願であって、平成２３年１０月２４日付(起案日)で拒絶の理由が通知され、平成２３年１２月２２日付で意見書・手続補正書が提出されたものの、平成２４年２月１日付(起案日)で拒絶査定がなされたものである。 
　本件は、上記拒絶査定を不服として平成２４年５月１日付で請求された拒絶査定不服審判であって、その審判請求と同時に手続補正書が提出され、当審において、前置報告書の内容について審判請求人の意見を求めるために、平成２４年８月８日付(起案日)で審尋がなされ、平成２４年１０月１９日付で回答書が提出され、平成２５年３月１２日付(起案日)で拒絶の理由が通知され、平成２５年５月１０日付で意見書・手続補正書が提出され、平成２５年５月２７日付(起案日)で拒絶の理由が通知され、平成２５年７月２６日付で意見書・手続補正書が提出されている。 
　
２．本願発明
２．１．請求項４の記載
　平成２５年７月２６日付手続補正書によって補正された請求項４には以下のとおり記載されている。
　
「【請求項４】
　請求項１または２に記載の番組再生装置にて差し替えを行うために用いることができるＣＭであって、配信期限や朝、昼、夕方、夜といった一日における再生すべきＣＭの差し替え時刻を示すスケジュールを有するＣＭを保持するＣＭ保持部と、
　番組再生装置からの番組再生装置にて差し替えを行うためのＣＭのリクエストの指示に従って、ＣＭ保持部からＣＭを検索するＣＭ検索部と、
　ＣＭ保持部にて保持されているＣＭの一部又は全部を番組再生装置へ配信するＣＭ配信部と、
　を有するＣＭ配信サーバ。」
　
２．２．請求項１の記載
　上記したとおり、請求項４は「請求項１または２に記載の番組再生装置にて差し替えを行うために用いることができるＣＭであって、配信期限や朝、昼、夕方、夜といった一日における再生すべきＣＭの差し替え時刻を示すスケジュールを有するＣＭを保持するＣＭ保持部・・・」と請求項１または２を引用する引用形式で記載されている。
　ここで、請求項４が引用する請求項１には以下のとおり記載されている。
　
「【請求項１】
　リアルタイムで放送されている番組を再生する再生部と、
　再生される番組に含まれているＣＭと異なるＣＭをＣＭ配信サーバから複数取得するＣＭ取得部と、
　再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、
　制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、
　前記制御部は、取得した複数のＣＭのうち、保持されているスケジュールに基づいて再生すべきＣＭのなかから配信期限が近いＣＭを優先的に選択して差替再生するよう制御する番組再生装置。」
　
２．３．請求項１を引用する請求項４に係る発明
　上記したとおり、請求項４は請求項１を引用する形式で記載されているが、その引用形式に従い請求項４に請求項１を組み入れると以下の記載のとおりとなる。(請求項１を引用したことによって挿入した部分を［］で括ってしめす。)
　そして、平成２３年１２月２２日付、平成２５年５月１０日付、および、平成２５年７月２６日付手続補正書で補正された明細書、特許請求の範囲又は図面の記載からみて、請求項１を引用する請求項４に係る発明(以下「本願発明」という。)は、以下の記載によって特定されるものである。
　
『［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭであって、配信期限や朝、昼、夕方、夜といった一日における再生すべきＣＭの差し替え時刻を示すスケジュールを有するＣＭを保持するＣＭ保持部と、
　番組再生装置からの番組再生装置にて差し替えを行うためのＣＭのリクエストの指示に従って、ＣＭ保持部からＣＭを検索するＣＭ検索部と、
　ＣＭ保持部にて保持されているＣＭの一部又は全部を番組再生装置へ配信するＣＭ配信部と、
　を有するＣＭ配信サーバ。』
　
３．引用例、引用発明
３．１．引用例１
３．１．１．引用例１の記載事項
　平成２５年５月２７日付拒絶理由通知書で引用例７として引用した特開２００５−１５６９９６号公報(以下「引用例１」という。) には、以下の記載がある。 
　
「(57)【要約】
【課題】　記録再生装置に記録されたコンテンツデータを再生する際においても、有効な宣伝広告を行う。
【解決手段】　記録再生装置ＲＣ-ｋは、放送設備ＢＥによって放送されるコンテンツデータを記録・再生する。かかる記録装置ＲＣ-ｋは、自機内に記録されているコンテンツデータの再生時に、当該コンテンツデータに組み込まれているオリジナル広告情報の差し替え用の差替広告情報を管理サーバＣＳからダウンロードする。この際、管理サーバＣＳは、広告の内容を示す広告ストーリーパターンデータと、記録再生装置ＲＣ-ｋのユーザの嗜好に合致するコンテンツ内容を示すストーリーパターンデータに基づいて、上述した差替広告情報を選択して、該差替広告情報を記録再生装置ＲＣ-ｋに配信する。記録再生装置ＲＣ-ｋは、この配信された差替広告情報をオリジナル広告情報と差し替えてコンテンツデータを再生する。」
『【発明が解決しようとする課題】
【０００４】
　ところで、ハードディスクレコーダ（以下、「ハードディスク」を「ＨＤ」と略称する）やＤＶＤレコーダ等の記録再生装置が普及している現在では、放送されたコンテンツデータが放送日時にリアルタイムに視聴されない場合が多く、宣伝広告活動を行っている企業にとっては、自己の投資を十分に回収できない可能性が発生してきている。特に、広告客体となる製品が流行性に富んでいる場合や、所謂シーズン物であるような場合には、かかる傾向が顕著となる。』
「【０００５】
　一方、上述した先行技術（特許文献１参照）を、放送後に記録再生装置に記録されたコンテンツデータに応用することも考えられる。しかし、同発明は、ダウンロードした広告情報をコンテンツデータの再生中に予め定められたタイミングで再生するものにすぎない。このため、広告主にとっては、宣伝広告内容の有効期限を管理することができないばかりでなく、組み込まれる広告情報がユーザの嗜好に合致しない場合等、自信の意図する宣伝広告効果を得ることができない場合も生じ得た。」
「【０００６】
　本願は、以上のような事情に鑑みてなされたものであり、その課題の一例としては、記録再生装置に記録されたコンテンツデータを再生する際においても、有効な宣伝広告を行うことにあり、特に、広告主の意図する宣伝広告効果を得ることを可能とする情報記録再生端末装置、広告情報配信サーバ、広告情報配信システム、広告情報配信方法、コンテンツデータ再生プログラム、広告情報配信プログラム及び情報記録媒体を提供することにある。」
「【０１０５】 
 （２-３）管理サーバＣＳの具体的構成 
 管理サーバＣＳは、広告代理店や、広告代理店から広告情報の放送を委任される放送事業者によって保有されているサーバであり、広告情報の差し替えを管理する。この管理サーバＣＳの具体的構成を図１３に示す。」 
『【０１０６】 
 同図に示すように本実施形態にかかる管理サーバＣＳは、システム制御部１１と、ネットワークＩ／Ｆ部１２と、通信Ｉ／Ｆ部１３と、広告情報データベース１４（以下、「データベース」を「ＤＢ」という）と、メタデータＤＢ１５と、これらを相互に接続するデータバス１６と、を有する。』 
『【０１０７】 
 なお、本実施形態における広告情報ＤＢ１４は、本願の「第１記録手段」を構成し、メタデータＤＢ１５は、「第２記録手段」を構成する。また、本実施形態におけるシステム制御部１１は、本願の「取得手段」と、「選択手段」と、「広告情報配信手段」を構成する。』 
「【０１０８】 
 ネットワークＩ／Ｆ部１２は、公衆デジタル網ＩＳＮとデータバス１６との間のデータの授受を仲介し、公衆デジタル網ＩＳＮから受信したデータをデータバス１６へと出力すると共に、データバス１６を介して入力されたデータを公衆デジタル網ＩＳＮへと送信する。」 
「【０１０９】 
 通信Ｉ／Ｆ部１３は、専用線ＬＬと接続されており、管理サーバＣＳから送られてきたデータをデータバス１６に出力する一方、データバス１６を介して送られてきたデータを専用線ＬＬを介して、管理サーバＣＳに送信する。」 
「【０１１０】 
 差替広告情報ＤＢ１４には、専用線ＬＬを介して放送設備ＢＥから送信されてきた差替広告情報が格納される。この差替広告情報ＤＢ１４に格納されている差替広告情報は、記録再生装置ＲＣ-ｋからのリクエストメッセージに従って、システム制御部１１によって配信される。」 
「【０１１１】 
 図１４は、本実施形態にかかる差替広告情報ＤＢ１４の記録内容の一例を示した図である。同図に示すように、本実施形態において、この差替広告情報ＤＢ１４には、格納されている各差替広告情報の広告ＩＤと対応づけて、当該ＩＤに対応する差替広告情報のデータ本体と、当該差替広告情報のデータサイズ、当該差替広告情報に対応する広告メタデータが記録されている。」 
「【０１１２】 
 この差替広告情報ＤＢ１４に記録されている広告メタデータは、差替広告情報の属性を示すデータであり、図１５に示すように、当該広告情報に対応する広告ＩＤ、広告情報のファイル名、作成日等を示すデータ、差し替え対象となった広告情報の広告ＩＤ一覧を示すデータが含まれている。また、この広告メタデータには、差替広告情報の配信先となった記録再生装置ＲＣ-ｋのユーザに対応するユーザＩＤ、配信日時に対応したデータが配信履歴として含まれており、各差替広告情報が記録再生装置ＲＣ-ｋに配信されるたびに更新される。」 
『【０１５３】
　かかる判定の結果、通常モードを選択した場合（ステップＳａ２「ｙｅｓ」）、システム制御部２０７は、再生モードを通常モードに設定して（ステップＳａ３）、コンテンツデータの再生を開始する（ステップＳａ１１）。』　
『【０１５４】
　これに対してステップＳａ２において、差し替えモードを選択した場合（ステップＳａ２「ｎｏ」）、システム制御部２０７は、再生モードを差し替えモードに設定し（ステップＳａ４）、オリジナル広告情報の差し替え用に、既に、差替広告情報がダウンロードされているか否かを判定する（ステップＳａ５）。この判定において「ｎｏ」と判定した場合、システム制御部２０７は、配信サーバＣＳに対して、リクエストメッセージを送信して（ステップＳａ８）、受信を待機する状態となる（ステップＳａ９「ｎｏ」）。この際、システム制御部２０７は、当該リクエストメッセージに再生時にユーザが入力したユーザＩＤと、オリジナル広告情報に対応する広告ＩＤを付加する。』
「【０１５５】
　一方、記録再生装置ＲＣ-ｋからリクエストメッセージを受信すると、管理サーバＣＳの差替広告情報配信部１１２は、後述する差替広告情報決定処理を実行し、記録再生装置ＲＣ-ｋに配信すべき差替広告情報を決定する。かかる処理により決定された差替広告情報が当該差替広告情報に対応する広告ＩＤと共に、記録再生装置ＲＣ-ｋに配信される。」
「【０１８２】 
 （２-２）管理サーバＣＳにおける差替広告情報決定処理 
 次に、図２４を参照しつつ、管理サーバＣＳにおいて実行される上述した差替広告情報決定処理について説明する。同処理は、上述した図２０のステップＳａ８において記録再生装置ＲＣ-ｋによって送信されたリクエストメッセージの受信をトリガとして開始される処理である。」 
「【０１８３】 
 この処理において、管理サーバＣＳの差替広告情報配信部１１２は、まず、当該リクエストメッセージに付加されているユーザＩＤと広告ＩＤを抽出して、図示せぬＲＡＭに記憶する（ステップＳｃ１）。そして、差替広告情報配信部１１２は、このユーザＩＤを検索キーとしてユーザ管理ＤＢ１５１を検索し、当該ユーザＩＤと対応づけて格納されているデータｂ-２を読み出す（ステップＳｃ２）。」 
「【０１８４】 
 次いで、差替広告情報配信部１１２は、この読み出したデータｂ-２に含まれているストーリーパターンデータを抽出し、当該ストーリーパターンデータに基づいてユーザの嗜好に合致するコンテンツ内容を示すストーリーパターンデータを生成する（ステップＳｃ３）。なお、この際の生成方法は、上述したとおりである。」 
「【０１８５】 
 次いで、差替広告情報配信部１１２は、広告ストーリーパターンＤＢ１５２から広告ストーリーパターンデータを読み出し（ステップＳｃ４）、比較処理を実行する（ステップＳｃ５）。この比較処理において、差替広告情報配信部１１２は、各広告ストーリーパターンデータについて、ステップＳｃ３において生成したストーリーパターンデータとの間におけるｃＡ値及びｃＢ値を上述した（式１１）及び（式１２）に基づいて算出する。」 
「【０１８６】 
 この比較処理が終了すると、差替広告情報配信部１１２は、ｃＡ値、ｃＢ値の合計が最小となるものから順に、幾つかの広告ストーリーパターンデータを選択する（ステップＳｃ６）。この際、差替広告情報配信部１１２は、ＲＡＭに格納されている広告ＩＤに基づいて、当該広告ＩＤに対応する広告ストーリーパターンデータを除外する。また、この際差替広告情報配信部１１２は、当該広告ＩＤに基づいて配信すべき差替広告情報数を決定して、その決定した数の広告ストーリーパターンデータを選択する。」 
「【０１８７】 
 次いで、差替広告情報配信部１１２は、ステップＳｃ６において選択した広告ストーリーパターンデータと対応づけて広告ストーリーパターンＤＢ１５２に格納されている広告ＩＤを検索キーとして差替広告情報ＤＢ１４を検索し、当該広告ＩＤに対応する差替広告情報を読み出す（ステップＳｃ７）。このようにして、差替広告情報を読み出すと、差替広告情報配信部１１２は、当該差替広告情報を記録再生装置ＲＣ-ｋに配信して（ステップＳｃ８）、処理を終了する。」 
「【図１３】
」 
「【図１４】
」 
「【図１５】
」 
「【図２４】
」 
　　
３．１．２．引用発明１
　上記引用例１の記載について以下検討する。
　
　第一に、上記【要約】の「記録再生装置ＲＣ-ｋは、放送設備ＢＥによって放送されるコンテンツデータを記録・再生する。かかる記録装置ＲＣ-ｋは、自機内に記録されているコンテンツデータの再生時に、当該コンテンツデータに組み込まれているオリジナル広告情報の差し替え用の差替広告情報を管理サーバＣＳからダウンロードする。」との記載からみて、引用例１記載の発明は「記録再生装置ＲＣ-ｋに記録されている、放送設備ＢＥによって放送されるコンテンツデータの再生時に、当該コンテンツデータに組み込まれているオリジナル広告情報の差し替え用の差替広告情報をダウンロードさせる管理サーバＣＳ」に関するものである。
　第二に、上記段落【０１０６】の『同図に示すように本実施形態にかかる管理サーバＣＳは、システム制御部１１と、ネットワークＩ／Ｆ部１２と、通信Ｉ／Ｆ部１３と、広告情報データベース１４（以下、「データベース」を「ＤＢ」という）と、メタデータＤＢ１５と、これらを相互に接続するデータバス１６と、を有する。』との記載、および、上記【図１３】の記載からみて、引用発明１の「管理サーバＣＳ」は「システム制御部１１と、ネットワークＩ／Ｆ部１２と、通信Ｉ／Ｆ部１３と、広告情報データベース１４と、メタデータＤＢ１５と、これらを相互に接続するデータバス１６と、を有」している。
　第三に、上記段落【０１１３】の「システム制御部１１は、図示せぬＣＰＵ、ＲＯＭ、ＲＡＭ、ＥＥＰＲＯＭ等を有し、管理サーバＣＳの各部を制御する。このシステム制御部１１は、ユーザ管理部１１１と、差替広告情報配信部１１２とを有しており、各部は、それぞれ、以下のような機能を有している。」との記載からみて、引用例１記載の発明の「システム制御部１１」は「差替広告情報配信部１１２」を有している。
　第四に、上記「図１４は、本実施形態にかかる差替広告情報ＤＢ１４の記録内容の一例を示した図である。同図に示すように、本実施形態において、この差替広告情報ＤＢ１４には、格納されている各差替広告情報の広告ＩＤと対応づけて、当該ＩＤに対応する差替広告情報のデータ本体と、当該差替広告情報のデータサイズ、当該差替広告情報に対応する広告メタデータが記録されている。」(段落【０１１１】)、「この差替広告情報ＤＢ１４に記録されている広告メタデータは、差替広告情報の属性を示すデータであり、図１５に示すように、当該広告情報に対応する広告ＩＤ、広告情報のファイル名、作成日等を示すデータ、差し替え対象となった広告情報の広告ＩＤ一覧を示すデータが含まれている。また、この広告メタデータには、差替広告情報の配信先となった記録再生装置ＲＣ-ｋのユーザに対応するユーザＩＤ、配信日時に対応したデータが配信履歴として含まれており、各差替広告情報が記録再生装置ＲＣ-ｋに配信されるたびに更新される。」(段落【０１１２】)との記載、および、上記【図１４】【図１５】の記載からみて、引用例１記載の発明の「広告情報データベース１４」は「差替広告情報の広告ＩＤ、当該ＩＤに対応する差替広告情報のデータ本体、当該差替広告情報のデータサイズ、当該広告情報に対応する広告ＩＤ、広告情報のファイル名、作成日等を含む広告メタデータ」を記憶している。
　第五に、上記段落【０１８２】の「次に、図２４を参照しつつ、管理サーバＣＳにおいて実行される上述した差替広告情報決定処理について説明する。同処理は、上述した図２０のステップＳａ８において記録再生装置ＲＣ-ｋによって送信されたリクエストメッセージの受信をトリガとして開始される処理である。」との記載、および、上記【図２４】の記載からみて、引用例１記載の発明の「管理サーバＣＳにおいて実行される差替広告情報決定処理は、記録再生装置ＲＣ-ｋによって送信されたリクエストメッセージの受信をトリガとして開始され」るものである。
　第六に、上記段落【０１５４】の「この際、システム制御部２０７は、当該リクエストメッセージに再生時にユーザが入力したユーザＩＤと、オリジナル広告情報に対応する広告ＩＤを付加する。」との記載、上記段落【０１８３】の「管理サーバＣＳの差替広告情報配信部１１２は、まず、当該リクエストメッセージに付加されているユーザＩＤと広告ＩＤを抽出して、図示せぬＲＡＭに記憶する（ステップＳｃ１）。」との記載、および、上記【図２４】の記載からみて、引用例１記載の発明の「管理サーバＣＳにおいて実行される差替広告情報決定処理」において「管理サーバＣＳの差替広告情報配信部１１２は、まず、当該リクエストメッセージに付加されているユーザＩＤとオリジナル広告情報に対応する広告ＩＤを抽出」するものである。
　第七に、上記段落【０１８７】の「次いで、差替広告情報配信部１１２は、ステップＳｃ６において選択した広告ストーリーパターンデータと対応づけて広告ストーリーパターンＤＢ１５２に格納されている広告ＩＤを検索キーとして差替広告情報ＤＢ１４を検索し、当該広告ＩＤに対応する差替広告情報を読み出す（ステップＳｃ７）。このようにして、差替広告情報を読み出すと、差替広告情報配信部１１２は、当該差替広告情報を記録再生装置ＲＣ-ｋに配信して（ステップＳｃ８）、処理を終了する。」との記載、および、上記【図２４】の記載からみて、引用例１記載の発明の「管理サーバＣＳにおいて実行される差替広告情報決定処理」において「管理サーバＣＳの差替広告情報配信部１１２は、広告情報データベース１４を検索し、差替広告情報を読み出し、当該差替広告情報を記録再生装置ＲＣ-ｋに配信」するものである。
　第八に、上記段落【０１５３】〜【０１５５】【０１８３】〜【０１８７】の記載、特に上記段落【０１５４】の「この際、システム制御部２０７は、当該リクエストメッセージに再生時にユーザが入力したユーザＩＤと、オリジナル広告情報に対応する広告ＩＤを付加する。」との記載、段落【０１８６】の「この際、差替広告情報配信部１１２は、ＲＡＭに格納されている広告ＩＤに基づいて、当該広告ＩＤに対応する広告ストーリーパターンデータを除外する。」との記載からみて、引用例１記載の発明の「管理サーバＣＳにおいて実行される差替広告情報決定処理」において「管理サーバＣＳの差替広告情報配信部１１２」が読み出した「差替広告情報」は「オリジナル広告情報」とは異なるものである。
　
　したがって、引用例１には以下の発明(以下「引用発明１」という。)が記載されている。
　
「記録再生装置ＲＣ-ｋに記録されている、放送設備ＢＥによって放送されるコンテンツデータの再生時に、当該コンテンツデータに組み込まれているオリジナル広告情報の差し替え用の差替広告情報をダウンロードさせる管理サーバＣＳであって、
　管理サーバＣＳはシステム制御部１１と、ネットワークＩ／Ｆ部１２と、通信Ｉ／Ｆ部１３と、広告情報データベース１４と、メタデータＤＢ１５と、これらを相互に接続するデータバス１６と、を有し、
　システム制御部１１は差替広告情報配信部１１２を有し、
　広告情報データベース１４は差替広告情報の広告ＩＤ、当該ＩＤに対応する差替広告情報のデータ本体、当該差替広告情報のデータサイズ、当該広告情報に対応する広告ＩＤ、広告情報のファイル名、作成日等を含む広告メタデータを記憶し、
　管理サーバＣＳにおいて実行される差替広告情報決定処理は、記録再生装置ＲＣ-ｋによって送信されたリクエストメッセージの受信をトリガとして開始され、
　管理サーバＣＳの差替広告情報配信部１１２は、まず、当該リクエストメッセージに付加されているユーザＩＤとオリジナル広告情報に対応する広告ＩＤを抽出し、
　管理サーバＣＳの差替広告情報配信部１１２は、広告情報データベース１４を検索し、差替広告情報を読み出し、当該差替広告情報を記録再生装置ＲＣ-ｋに配信するものであって、
　管理サーバＣＳの差替広告情報配信部１１２が読み出した差替広告情報はオリジナル広告情報とは異なるものである、
　管理サーバＣＳ。」
　
３．２．引用例２
３．２．１．引用例１の記載事項
　また、平成２５年５月２７日付拒絶理由通知書で引用例８として引用した特開２００２−２３２８１３号公報(以下「引用例２」という。)には以下の記載がある。　
　　
「【００５９】次に，上記ディスク管理手段３５と，上記専用領域管理手段３６と，上記書込み制御手段３７とを用いたＣＭ差し替え方式について説明する。」 
「【００６０】本ＣＭ差し替え方式では，まず，視聴者が専用領域の確保を示す操作をすることで，専用領域管理手段３６が起動され，あるサービス事業者専用の領域がストレージ装置３上に確保される。そして，その情報が上記サービス事業者あるいはサービスセンタ１２に通知される。続いて，上記サービス事業者あるいはサービスセンタ１２がある戦略に基いてＣＭデータを配信する。このＣＭデータはサービス端末装置２０で受信時に出力装置７に表示されるのではなく，専用領域管理テーブル２００の内容にしたがい，ストレージ装置３に格納される。そして，視聴者がＣＭを含む録画された番組を視聴する場合に，該番組中のＣＭがある条件の下にあらかじめ配信されストレージ装置３に格納された上記ＣＭに差し替えられることになる。」 
「【００６１】あらかじめ配信される上記ＣＭデータには属性情報が付属し，ストレージ装置３に格納される該属性情報はＣＭデータ管理テーブルによって管理される。」 
「【００６２】ＣＭデータ管理テーブル２２０の内容を図８に示す。図８において，ＣＭデータ管理テーブル２２０は，優先度２２１，有効期限２２２，時間帯２２３，最大差し替え回数２２４，差し替え回数２２５，ポインタ２２６とから構成される。優先度２２１には，差し替えるＣＭデータが同条件で存在する場合に，どのＣＭデータを差し替え挿入するかを決定する差し替え優先度が設定される。有効期限２２２には，ＣＭデータが差し替え挿入可能な日時の範囲が設定される。有効期限を過ぎたＣＭデータは，自動的にＣＭデータ管理テーブル２２０から削除され，さらに，ＣＭデータ本体もストレージ装置３上から削除される。時間帯２２３には，ＣＭデータがその有効期限内において差し替え可能な時間帯が設定される。この時間帯は，午前，午後，夜，深夜といったレンジで表わすことも可能であり，時分秒といった時間で表わすことも可能である。最大差し替え回数２２４には，差し替え挿入する回数が設定される。差し替え回数２２５には，差し替え挿入された回数が設定される。この回数が最大差し替え回数２２４で指定された回数になったＣＭデータは，自動的にＣＭデータ管理テーブル２２０から削除され，さらに，ＣＭデータ本体もストレージ装置３上から削除される。ポインタ２２６には，ＣＭデータ本体が格納されている領域のアドレスが設定される。」 
「【図８】
」 
　
３．２．２．引用発明２
　上記引用例２の記載について以下検討する。
　
　第一に、上記段落【００５９】の記載からみて、引用例２記載の発明は「ＣＭ差し替え方式」に関するものである。
　第二に、上記段落【００６０】の記載からみて、引用例２記載の発明は「視聴者がＣＭを含む録画された番組を視聴する場合に、あらかじめ配信されストレージ装置に格納されたＣＭに差し替えられる」ものである。
　第三に、上記段落【００６１】の記載からみて、「配信されるＣＭデータには属性情報が付属し」、「該属性情報はＣＭデータ管理テーブルによって管理され」ているものである。
　第四に、上記段落【００６１】【００６２】の記載からみて、「ＣＭデータ管理テーブル」によって管理される「属性情報」は「優先度２２１、有効期限２２２、時間帯２２３、最大差し替え回数２２４、差し替え回数２２５、ポインタ２２６とから構成され」
、「優先度２２１には、差し替えるＣＭデータが同条件で存在する場合に、どのＣＭデータを差し替え挿入するかを決定する差し替え優先度が設定され」、「有効期限２２２には、ＣＭデータが差し替え挿入可能な日時の範囲が設定され」、「時間帯２２３には、ＣＭデータがその有効期限内において差し替え可能な時間帯が設定され、この時間帯は、午前、午後、夜、深夜といったレンジで表わすことも可能であり、時分秒といった時間で表わすことも可能であ」るものであって、「最大差し替え回数２２４には，差し替え挿入する回数が設定され」、「差し替え回数２２５には，差し替え挿入された回数が設定され」るものである。
　
　したがって、引用例２には以下の発明(以下「引用発明２」という。)が記載されている。
　
「視聴者がＣＭを含む録画された番組を視聴する場合に、あらかじめ配信されストレージ装置に格納されたＣＭに差し替えられるＣＭ差し替え方式であって、
　配信されるＣＭデータには属性情報が付属し、
　該属性情報はＣＭデータ管理テーブルによって管理され、
　ＣＭデータ管理テーブルによって管理される属性情報は優先度２２１、有効期限２２２、時間帯２２３、最大差し替え回数２２４、差し替え回数２２５、ポインタ２２６とから構成され、
　優先度２２１には、差し替えるＣＭデータが同条件で存在する場合に、どのＣＭデータを差し替え挿入するかを決定する差し替え優先度が設定され、
　有効期限２２２には、ＣＭデータが差し替え挿入可能な日時の範囲が設定され、
　時間帯２２３には、ＣＭデータがその有効期限内において差し替え可能な時間帯が設定され、この時間帯は、午前、午後、夜、深夜といったレンジで表わすことも可能であり、時分秒といった時間で表わすことも可能であり、
　最大差し替え回数２２４には，差し替え挿入する回数が設定され、
　差し替え回数２２５には，差し替え挿入された回数が設定される、
　ＣＭ差し替え方式。」
　
４．対比
　本願発明と引用発明１を対比する。
　
４．１．「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭであって、配信期限や朝、昼、夕方、夜といった一日における再生すべきＣＭの差し替え時刻を示すスケジュールを有するＣＭを保持するＣＭ保持部」
　本願発明は「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭであって、配信期限や朝、昼、夕方、夜といった一日における再生すべきＣＭの差し替え時刻を示すスケジュールを有するＣＭを保持するＣＭ保持部」を有するものであって、この記載からみて、この「ＣＭ保持部」が保持する「ＣＭ」は、
　
(a)　「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」
(b)　「配信期限や朝、昼、夕方、夜といった一日における再生すべきＣＭの差し替え時刻を示すスケジュールを有するＣＭ」
　
　という２つの条件を満たすものである。
　
　ここで、上記(a)である「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」が何であるのか以下検討する。
　
４．１．１．「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」の解釈
　「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」の「用いることが
できる
できる
　したがって、本願発明の「ＣＭ保持部」が保持する「ＣＭ」が何であるかを判断する前提として、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」で用いられる「ＣＭ」がどのような条件を必要とするものであるか、この記載をもとに、以下具体的に検討する。
　
４．１．２．
「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」で用いられる「ＣＭ」の条件
　この「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」という記載において、「ＣＭ」という用語を含む記載は、以下の３つに分けることができる。
　
(1)　「再生される番組に含まれているＣＭと異なるＣＭをＣＭ配信サーバから複数取得するＣＭ取得部」
(2)　「再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部」「前記制御部は、取得した複数のＣＭのうち、保持されているスケジュールに基づいて再生すべきＣＭのなかから配信期限が近いＣＭを優先的に選択して差替再生するよう制御する」
(3)　「制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部」
　
　上記(1)〜(3)の記載それぞれについて、その記載が、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」で「ＣＭ」がどのような条件を必要とするかを述べているか以下検討する。
　
４．１．２．１．「再生される番組に含まれているＣＭと異なるＣＭをＣＭ配信サーバから複数取得するＣＭ取得部」
　この「再生される番組に含まれているＣＭと異なるＣＭをＣＭ配信サーバから複数取得するＣＭ取得部」との記載からは、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」が「再生される番組に含まれているＣＭと異なる」ものであること、また、「ＣＭ配信サーバから」「ＣＭ取得部」によって取得したものであることを読み取ることができる。
　
４．１．２．２．「再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部」「前記制御部は、取得した複数のＣＭのうち、保持されているスケジュールに基づいて再生すべきＣＭのなかから配信期限が近いＣＭを優先的に選択して差替再生するよう制御する」
　上記「４．１．２．１．」で述べたように「ＣＭ」の条件の一つは「ＣＭ配信サーバから」「ＣＭ取得部」によって取得したものであるが、この「再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部」との記載のうち、「検知したＣＭ部分」との記載の「ＣＭ」、「バッファされているデータからＣＭ部分の終了を検知すると、差替ＣＭの再生は終了し番組を再生する」との記載の「ＣＭ部分の終了を検知する」の「ＣＭ」は、「再生の際に番組に含まれるＣＭを再生するデータを記憶領域にバッファしている間に検知し」との記載の「再生の際に番組に含まれるＣＭ」であって「ＣＭ取得部が取得したＣＭ」ではないから、「再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部」の記載からは、文言上、「ＣＭ」は「再生の際に番組に含まれるＣＭと差し替えて再生」できるものであること、また、「ＣＭ」の「再生」は「終了」できるものであることのみを読み取ることができる。
　また、「前記制御部は、取得した複数のＣＭのうち、保持されているスケジュールに基づいて再生すべきＣＭのなかから配信期限が近いＣＭを優先的に選択して差替再生するよう制御する」との記載からも、文言上、「ＣＭ」は「再生の際に番組に含まれるＣＭと差し替えて再生」できるものであることを読み取ることができる。
　
　しかし、「ＣＭ」の「再生」が「終了」できることは、「ＣＭ」が常に有する特性にすぎないから、この点は、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」で「ＣＭ」がどのような条件を有しているかに特に限定するものではない。
　
　したがって、「再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部」「前記制御部は、取得した複数のＣＭのうち、保持されているスケジュールに基づいて再生すべきＣＭのなかから配信期限が近いＣＭを優先的に選択して差替再生するよう制御する」との記載からは、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」は「再生の際に番組に含まれるＣＭと差し替えて再生」できるものであることが読み取れる。
　
４．１．２．３．「制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部」
　この「制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部」との記載は、「ＣＭ」そのものについての記載ではなく「ＣＭを差し替えるタイミングを定めるスケジュール」についての記載であるから、この記載は「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」がどのような条件を有しているかについての記載ではない。
　
４．１．２．４．まとめ
　上記４．１．２．１〜４．１．２．３で述べたところからみて、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」は、「再生される番組に含まれているＣＭと異なる」ものであり、「ＣＭ配信サーバから」取得できるものであり、また、「再生の際に番組に含まれるＣＭと差し替えて再生」できるものと認めることができる。
　
４．１．２．５．「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」とは
　次に「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」との記載、特に「・・・番組再生装置］にて差し替えを行うために用いることができる」との記載によって、本願発明の「ＣＭ保持部」が保持する「ＣＭ」が具体的にどのような技術概念となるか、以下検討する。
　
　ここで、上記「４．１．２．４」で述べたとおり、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」は、「再生される番組に含まれているＣＭと異なる」ものであり、「ＣＭ配信サーバから」取得できるものであり、また、「再生の際に番組に含まれるＣＭと差し替えて再生」できるものである。
　
　しかしながら、本願発明は「ＣＭ配信サーバ」であって、本願発明の「ＣＭ保持部」が保持する「ＣＭ」は「ＣＭ配信サーバ」から取得させるためのものであるから、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」は「ＣＭ配信サーバから」取得できるものであるという点は、「・・・番組再生装置］にて差し替えを行うために用いることができる」との記載によって、本願発明の「ＣＭ保持部」が保持する「ＣＭ」をなんら限定するものではない。
　また、「リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置」の「ＣＭ」は「再生の際に番組に含まれるＣＭと差し替えて再生」できるという点は、「・・・番組再生装置］にて差し替えを行うために用いることができる」の「差し替えを行うために用いることができる」という点と重複している。
　
　そうすると、上記「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」とは、結局「再生される番組に含まれているＣＭと異なるＣＭであって、再生の際に番組に含まれるＣＭと差し替えて再生できるＣＭ」という意味であると認めることができる。
　
４．１．２．６．「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭであって、配信期限や朝、昼、夕方、夜といった一日における再生すべきＣＭの差し替え時刻を示すスケジュールを有するＣＭを保持するＣＭ保持部」とは
　上記「４．１．」で述べたように、本願発明の「ＣＭ保持部」が保持する「ＣＭ」は、
　
(a)　「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」
(b)　「配信期限や朝、昼、夕方、夜といった一日における再生すべきＣＭの差し替え時刻を示すスケジュールを有するＣＭ」
　
　という２つの条件を満たすものである。
　
　そして、上記(a)は上記「４．１．２．５」で述べたとおり、結局「再生される番組に含まれているＣＭと異なるＣＭであって、再生の際に番組に含まれるＣＭと差し替えて再生できるＣＭ」という意味であるから、結局、本願発明の「ＣＭ保持部」が保持する「ＣＭ」は、
　
(a)　「再生される番組に含まれているＣＭと異なるＣＭであって、再生の際に番組に含まれるＣＭと差し替えて再生できるＣＭ」
(b)　「配信期限や朝、昼、夕方、夜といった一日における再生すべきＣＭの差し替え時刻を示すスケジュールを有するＣＭ」
　
　という２つの条件を満たすものである。
　
４．１．３．本願発明の「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭであって、配信期限や朝、昼、夕方、夜といった一日における再生すべきＣＭの差し替え時刻を示すスケジュールを有するＣＭを保持するＣＭ保持部」と引用発明１の対比
　引用発明１は「記録再生装置ＲＣ-ｋに記録されている、放送設備ＢＥによって放送されるコンテンツデータの再生時に、当該コンテンツデータに組み込まれているオリジナル広告情報の差し替え用の差替広告情報をダウンロードさせる管理サーバＣＳであって、管理サーバＣＳはシステム制御部１１と、ネットワークＩ／Ｆ部１２と、通信Ｉ／Ｆ部１３と、広告情報データベース１４と、メタデータＤＢ１５と、これらを相互に接続するデータバス１６と、を有し、システム制御部１１は差替広告情報配信部１１２を有し、広告情報データベース１４は差替広告情報の広告ＩＤ、当該ＩＤに対応する差替広告情報のデータ本体、当該差替広告情報のデータサイズ、当該広告情報に対応する広告ＩＤ、広告情報のファイル名、作成日等を含む広告メタデータを記憶し」ているものであって「管理サーバＣＳの差替広告情報配信部１１２が読み出した差替広告情報はオリジナル広告情報とは異なるものである」ものである。
　まず、引用発明１は「管理サーバＣＳの差替広告情報配信部１１２が読み出した差替広告情報はオリジナル広告情報とは異なるものである」ことからみて、引用発明１の「広告情報データベース１４」が記憶している「差替広告情報」は、オリジナル広告情報を差し替えるために用いるものであって、しかも、「記録再生装置ＲＣ-ｋに記録されている、放送設備ＢＥによって放送されるコンテンツデータの再生時に、当該コンテンツデータに組み込まれているオリジナル広告情報」とは異なるものが少なくとも含まれているから、引用発明１の「広告情報データベース１４」と本願発明の「ＣＭ保持部」は、「再生される番組に含まれているＣＭと異なるＣＭであって、再生の際に番組に含まれるＣＭと差し替えて再生できるＣＭ」を保持している点、すなわち、「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭ」を保持している点で一致している。
　しかしながら、引用発明１の「広告情報データベース１４は差替広告情報の広告ＩＤ、当該ＩＤに対応する差替広告情報のデータ本体、当該差替広告情報のデータサイズ、当該広告情報に対応する広告ＩＤ、広告情報のファイル名、作成日等を含む広告メタデータを記憶し」ているものの、この「広告メタデータ」には、本願発明のような「配信期限や朝、昼、夕方、夜といった一日における再生すべきＣＭの差し替え時刻を示すスケジュール」は含まれていないから、本願発明の「ＣＭ保持部」が保持する「ＣＭ」は「配信期限や朝、昼、夕方、夜といった一日における再生すべきＣＭの差し替え時刻を示すスケジュールを有するＣＭ」であるのに対し、引用発明１の「広告情報データベース１４」は「差替広告情報の広告ＩＤ、当該ＩＤに対応する差替広告情報のデータ本体、当該差替広告情報のデータサイズ、当該広告情報に対応する広告ＩＤ、広告情報のファイル名、作成日等を含む広告メタデータを記憶し」ているものの、この「広告メタデータ」には、本願発明のような「配信期限や朝、昼、夕方、夜といった一日における再生すべきＣＭの差し替え時刻を示すスケジュール」は含まれていない点で相違する。
　
４．２．「番組再生装置からの番組再生装置にて差し替えを行うためのＣＭのリクエストの指示に従って、ＣＭ保持部からＣＭを検索するＣＭ検索部」
　引用発明１の「管理サーバＣＳにおいて実行される差替広告情報決定処理は、記録再生装置ＲＣ-ｋによって送信されたリクエストメッセージの受信をトリガとして開始され、管理サーバＣＳの差替広告情報配信部１１２は、まず、当該リクエストメッセージに付加されているユーザＩＤとオリジナル広告情報に対応する広告ＩＤを抽出し、管理サーバＣＳの差替広告情報配信部１１２は、広告情報データベース１４を検索し、差替広告情報を読み出し、当該差替広告情報を記録再生装置ＲＣ-ｋに配信するもの」であるから、引用発明１の「差替広告情報配信部１１２」は本願発明の「ＣＭ検索部」と同様に「番組再生装置からの番組再生装置にて差し替えを行うためのＣＭのリクエストの指示に従って、ＣＭ保持部からＣＭを検索する」機能を有している点で一致している。
　
４．３．「ＣＭ保持部にて保持されているＣＭの一部又は全部を番組再生装置へ配信するＣＭ配信部」
　引用発明１の「管理サーバＣＳの差替広告情報配信部１１２は、広告情報データベース１４を検索し、差替広告情報を読み出し、当該差替広告情報を記録再生装置ＲＣ-ｋに配信するもの」であるから、引用発明１の「差替広告情報配信部１１２」は本願発明の「ＣＭ配信部」と同様に「ＣＭ保持部にて保持されているＣＭの一部又は全部を番組再生装置へ配信する」機能を有している点で一致している。
　
４．４．「ＣＭ配信サーバ」
　引用発明１は「記録再生装置ＲＣ-ｋに記録されている、放送設備ＢＥによって放送されるコンテンツデータの再生時に、当該コンテンツデータに組み込まれているオリジナル広告情報の差し替え用の差替広告情報をダウンロードさせる管理サーバＣＳ」であって、この「管理サーバＣＳ」は「ＣＭ配信サーバ」であるということができるから、引用発明１と本願発明は、いずれも「ＣＭ配信サーバ」である点で一致している。
　
４．５．一致点・相違点
　したがって、本願発明と引用発明１は、以下のとおり、一致し、相違している。
　
[一致点]
「［リアルタイムで放送されている番組を再生する再生部と、再生される番組に含まれているＣＭと異なるＣＭをＣＭ配信サーバから複数取得するＣＭ取得部と、再生の際に番組に含まれるＣＭを再生するデータを記憶領域にバッファしている間に検知し、検知したＣＭ部分の開始に合わせてＣＭ取得部が取得したＣＭに差し替えて再生し、バッファされているデータからＣＭ部分の終了を検知すると、差替ＣＭの再生は終了し番組を再生するように再生部を制御する制御部と、制御部がＣＭを差し替えるタイミングを定めるスケジュールであって、前記取得したＣＭの配信期限や朝、昼、夕方、夜といった一日における再生すべきＣＭの差し替え時刻を示すスケジュールを保持するスケジュール保持部と、を有し、前記制御部は、取得した複数のＣＭのうち、保持されているスケジュールに基づいて再生すべきＣＭのなかから配信期限が近いＣＭを優先的に選択して差替再生するよう制御する番組再生装置］にて差し替えを行うために用いることができるＣＭを保持するＣＭ保持部と、
　番組再生装置からの番組再生装置にて差し替えを行うためのＣＭのリクエストの指示に従って、ＣＭ保持部からＣＭを検索するＣＭ検索部と、
　ＣＭ保持部にて保持されているＣＭの一部又は全部を番組再生装置へ配信するＣＭ配信部と、
　を有するＣＭ配信サーバ。」
　
[相違点]
　本願発明の「ＣＭ保持部」が保持する「ＣＭ」は「配信期限や朝、昼、夕方、夜といった一日における再生すべきＣＭの差し替え時刻を示すスケジュールを有するＣＭ」であるのに対し、引用発明１の「広告情報データベース１４」は「差替広告情報の広告ＩＤ、当該ＩＤに対応する差替広告情報のデータ本体、当該差替広告情報のデータサイズ、当該広告情報に対応する広告ＩＤ、広告情報のファイル名、作成日等を含む広告メタデータを記憶し」ているものの、この「広告メタデータ」には、本願発明のような「配信期限や朝、昼、夕方、夜といった一日における再生すべきＣＭの差し替え時刻を示すスケジュール」は含まれていない点。
　
５．当審の判断
　引用発明１は「記録再生装置ＲＣ-ｋに記録されている、放送設備ＢＥによって放送されるコンテンツデータの再生時に、当該コンテンツデータに組み込まれているオリジナル広告情報の差し替え用の差替広告情報をダウンロードさせる管理サーバＣＳ」であり、引用発明２は「視聴者がＣＭを含む録画された番組を視聴する場合に、あらかじめ配信されストレージ装置に格納されたＣＭに差し替えられるＣＭ差し替え方式であって、配信されるＣＭデータには属性情報が付属し、該属性情報はＣＭデータ管理テーブルによって管理され、ＣＭデータ管理テーブルによって管理される属性情報は優先度２２１、有効期限２２２、時間帯２２３、最大差し替え回数２２４、差し替え回数２２５、ポインタ２２６とから構成され、優先度２２１には、差し替えるＣＭデータが同条件で存在する場合に、どのＣＭデータを差し替え挿入するかを決定する差し替え優先度が設定され、有効期限２２２には、ＣＭデータが差し替え挿入可能な日時の範囲が設定され、時間帯２２３には、ＣＭデータがその有効期限内において差し替え可能な時間帯が設定され、この時間帯は、午前、午後、夜、深夜といったレンジで表わすことも可能であり、時分秒といった時間で表わすことも可能であり、最大差し替え回数２２４には，差し替え挿入する回数が設定され、差し替え回数２２５には，差し替え挿入された回数が設定される、ＣＭ差し替え方式。」であるところからみて、引用発明１，２のいずれも、視聴者がＣＭを含む録画された番組を視聴する場合に、そのＣＭを差し替えるＣＭを配信することに関する発明である点で共通している。
　そして、引用発明１が、差し替えの対象としている「番組に含まれているＣＭ」は、広告主とテレビ局のような広告配信者との契約のなかで、ＣＭを流す期間、回数、そして、例えば、午前５時〜午後６時には酒類広告を行わない等という時間帯について、ＣＭを放送する条件が規定されていることが通常であって、引用発明１における「再生される番組に含まれているＣＭと異なるＣＭ」も、この「番組に含まれているＣＭ」と同様な形態で再生・視聴されることを考えれば、「再生される番組に含まれているＣＭと異なるＣＭ」にも同様の条件を規定しようとすることは当業者が自然に考えつくことにすぎないから、視聴者がＣＭを含む録画された番組を視聴する場合に、そのＣＭを差し替えるＣＭを配信することに関する発明である点で共通しＣＭを放送する条件を規定している引用発明２を、引用発明１に組み合わせ、本願発明のように「ＣＭ保持部」が保持する「ＣＭ」を「配信期限や朝、昼、夕方、夜といった一日における再生すべきＣＭの差し替え時刻を示すスケジュールを有するＣＭ」としたことは、当業者が容易に想到し得たことにすぎない。
　
　そして、本願発明の作用効果も、引用発明１，２から当業者が予測できる範囲のものである。
　
　したがって、本願発明は引用発明１，２に基づいて当業者が容易に発明できたものである。
　
６．むすび
　以上のとおり、請求項４に係る発明は、引用例１，２に記載された発明に基づいて、当業者が容易に発明をすることができたものであるから、特許法第２９条２項の規定により特許を受けることができない。
　
　したがって、本願は他の請求項に係る発明について特に検討するまでもなく拒絶されるべきものである。 
　 
　よって、結論のとおり審決する。